(57)【要約】【課題】売上商品のチェックアウトにおいて、顧客の移動経路が右流れ或いは左流れのどちらであっても、オペレータにとって使い勝手のよい入出金管理システムを提供するものである。【解決手段】売上商品の登録および決済処理行う商品販売データ処理装置と、預り金の入金処理および釣銭の出金処理を行う貨幣入出金装置とを備え、前記貨幣入出金装置は、硬貨を入出金する硬貨入出金部と紙幣を入出金する紙幣入出金部とを有し、前記硬貨入出金部の硬貨入金口と硬貨出金口および前記紙幣入出金部の紙幣入金口と紙幣出金口をオペレータ側の幅方向中央部位にそれぞれ配置した。【選択図】図３
2013257674.tif 000002
【特許請求の範囲】
【請求項１】
売上商品の登録および決済処理行う商品販売データ処理装置と、預り金の入金処理および釣銭の出金処理を行う貨幣入出金装置とを備え、
前記貨幣入出金装置は、硬貨を入出金する硬貨入出金部と紙幣を入出金する紙幣入出金部とを有し、前記硬貨入出金部の硬貨入金口と硬貨出金口および前記紙幣入出金部の紙幣入金口と紙幣出金口をオペレータ側の幅方向中央部位にそれぞれ配置した入出金管理システム。
【請求項２】
前記硬貨入出金部の硬貨入金口と硬貨出金口をオペレータ側から見て奥側に、前記紙幣入出金部の紙幣入金口と紙幣出金口をオペレータ側から見て手前側に配置した請求項１記載の入出金管理システム。
【請求項３】
預り金の入金処理および釣銭の出金処理を行う貨幣入出金装置において、前記貨幣入出金装置は、硬貨を入出金する硬貨入出金部と紙幣を入出金する紙幣入出金部とを有し、前記硬貨入出金部の硬貨入金口と硬貨出金口および前記紙幣入出金部の紙幣入金口と紙幣出金口をオペレータ側の幅方向中央部位にそれぞれ配置した貨幣入出金装置。
【請求項４】
前記硬貨入出金部の硬貨入金口と硬貨出金口をオペレータ側から見て奥側に、前記紙幣入出金部の紙幣入金口と紙幣出金口をオペレータ側から見て手前側に配置した請求項３記載の貨幣入出金装置。
【発明の詳細な説明】
【技術分野】
【０００１】
本発明の実施形態は入出金管理システムおよび貨幣入出金装置に関する。
【背景技術】
【０００２】
近年、量販店等においては、レジの効率化および正確性向上等の観点から、ＰＯＳ端末などに接続された自動釣銭機が普及している。この種の自動釣銭機は、硬貨を入出金する硬貨入出金部と、紙幣を入出金する紙幣入出金部とを備えており、これら硬貨入出金部と紙幣入出金部の入出金口はそれぞれ独立して形成されている。この自動釣銭機をレジ台に設置する場合、通常、下に自動釣銭機を配置しその上にＰＯＳ端末を配置するのが一般的である。
【０００３】
しかしながら、この場合自動釣銭機の入出金口は横１列に並んでおり、顧客の移動経路が右流れの時と左流れの時とでその操作性に違いが生じていた。例えば、右流れの移動経路において近い入出金口が、左流れの移動経路では逆に遠くなってしまい、どちらの移動経路においても均一な操作性を得ることが出来なかった。すなわち、一方の移動経路ではその使い勝手が良くても、他方の移動経路では使い勝手が悪くなってしまうという問題があった。
【先行技術文献】
【特許文献】
【０００４】
【特許文献１】特開2012−53695号公報
【発明の概要】
【発明が解決しようとする課題】
【０００５】
そこで、本発明が解決しようとする課題は、売上商品のチェックアウトにおいて、顧客の移動経路が右流れ或いは左流れのどちらであっても、オペレータにとって使い勝手のよい入出金管理システムを提供するものである。
【課題を解決するための手段】
【０００６】
本発明の実施形態における入出金管理システムは、売上商品の登録および決済処理行う商品販売データ処理装置と、預り金の入金処理および釣銭の出金処理を行う貨幣入出金装置とを備え、前記貨幣入出金装置は、硬貨を入出金する硬貨入出金部と紙幣を入出金する紙幣入出金部とを有し、前記硬貨入出金部の硬貨入金口と硬貨出金口および前記紙幣入出金部の紙幣入金口と紙幣出金口をオペレータ側の幅方向中央部位にそれぞれ配置したものである。
【図面の簡単な説明】
【０００７】
【図１】実施形態の入出金管理システムの外観斜視図。
【図２】同システムにおけるＰＯＳ端末および釣銭機の外観斜視図。
【図３】同システムにおける釣銭機と顧客の移動経路との関係を示す平面図。
【図４】同システムにおけるＰＯＳ端末および商品コード入力装置のハードウエア構成を示すブロック図。
【図５】同システムにおける釣銭機のハードウエア構成を示すブロック図。
【図６】同システムにおける釣銭機単体の外観斜視図。
【発明を実施するための形態】
【０００８】
以下、実施形態の入出金管理システムを図面を参照して説明する。本実施形態の入出金管理システムは、商品販売データ処理装置としてのＰＯＳ（Ｐｏｉｎｔ  Ｏｆ  Ｓａｌｅｓ）端末１２１および商品コード入力装置１１１と、貨幣入出金装置としての釣銭機１４１等を有するチェックアウトシステム１０１への適用例である。
【０００９】
図１は、入出金管理システムとしてのチェックアウトシステム１０１の外観斜視図である。スーパーマーケットのレジエリアには、チェックアウトシステム１０１を構成するチェックアウトカウンタ１１０が２台設置されている。これら２台のチェックアウトカウンタ１１０は、顧客１０２が移動可能な顧客移動経路１０４を２本分確保できるだけの空間を間に挟んで対向配置されている。顧客１０２は、いずれか一方の顧客移動経路１０４に沿って進み、その顧客移動経路１０４に近い方のチェックアウトカウンタ１１０に対面し、対面したチェックアウトカウンタ１１０を挟んで反対側で待機するオペレータ１０３と購入予定の商品１０５についての会計取引を行う。なお、図１において、顧客の移動経路１０４ａは右流れのチェックアウトレーンを示し、顧客の移動経路１０４ｂは左流れのチェックアウトレーンを示している。
【００１０】
次に、図１に示す手前側のチェックアウトシステム１０１について説明する。このチェックアウトシステム１０１は、チェックアウトカウンタ１１０とＰＯＳ端末１２１と商品コード入力装置１１１と釣銭機１４１とにより構成されている。商品コード入力装置１１１は、接続コード１１２によって、ＰＯＳ端末１２１とデータ通信自在に接続している。オペレータ１０３は、チェックアウトカウンタ１１０に対して図１の手前側の位置に立ち、顧客移動経路１０４ａを図１の右側から左側に向けて移動しオペレータ１０３と対面して立つ顧客１０２と会計取引を行う。会計取引の中で、オペレータ１０３は、顧客１０２が持ち込んだ買物カゴ１０６に収納されている購入予定の商品１０５に付されている商品コード１１９を商品コード入力装置１１１を用いてＰＯＳ端末１２１に入力し、入力済みの商品コード１１９に基づく決済をＰＯＳ端末１２１を操作して行うという一連の作業を行う。
【００１１】
チェックアウトカウンタ１１０は、顧客移動経路１０４ａと平行に細長い長尺のテーブルであり、その上部には、買物カゴ１０６を載置可能な天板１１４が取り付けられている。
【００１２】
商品コード入力装置１１１は、天板１１４の上面でオペレータ側から見た幅方向の略中央に立設されている。商品コード入力装置１１１は、コードスキャナ１１５と、キーボード１１６と、読取作業用ディスプレイ１１７と、顧客用ディスプレイ１１８とが一体化されて構成されている。コードスキャナ１１５は、読取窓を通じて、商品１０５に付されたコードシンボル化された商品コード１１９を読み取る。読取作業用ディスプレイ１１７は、表示面をオペレータ側に向けてコードスキャナ１１５の上方に取り付けられている。顧客用ディスプレイ１１８は、読取作業用ディスプレイ１１７の背面で顧客側に向けて配置されている。そして、オペレータ１０３は、この商品コード入力装置１１１と正対して立ち、コードスキャナ１１５の読取窓に商品コード１１９をかざしてその商品コード１１９をコードスキャナ１１５に読み取らせることができる。
【００１３】
商品コード入力装置１１１に正対して立つオペレータ１０３の左方にはＰＯＳ端末設置台１２０が設置されており、そして、このＰＯＳ端末設置台１２０にはＰＯＳ端末１２１および釣銭機１４１が配置されている。次に、このＰＯＳ端末１２１と釣銭機１４１について説明する。
【００１４】
図２は、ＰＯＳ端末１２１および釣銭機１４１の外観斜視図である。図２に示すように、ＰＯＳ端末１２１は、釣銭機１４１に載置されている。釣銭機１４１は、レジエリアのＰＯＳ端末設置台１２０（図１参照）に配置されている。
【００１５】
ＰＯＳ端末１２１は、各部をその内部または外部に配置するハウジング１２２を備える。ハウジング１２２の上面には、キーボード１２３が設けられている。キーボード１２３は、上面に数字が表示されたテンキー、上面に「小計」と表示された仮締めキー、上面に「預／現計」と表示された締めキー（いずれも図示せず）等を含む。キーボード１２３の上方位置には、オペレータに対しての情報表示機能を有する決済作業用ディスプレイ１２４が配置されている。決済作業用ディスプレイ１２４の左側には、プリンタカバー１２５が設けられている。このプリンタカバー１２５の前面には、レシート発行口１２６が形成されている。プリンタカバー１２５の内部には、レシート用紙に印刷してレシートを発行するレシートプリンタ１２７（図４参照）が設けられている。
【００１６】
釣銭機１４１は、各部をその内部または外部に配置するハウジング１４２を備える。ハウジング１４２の前面側でオペレータ側から見た幅方向の中央部位には、手前側から奥側に向かって、紙幣が払い出される紙幣出金口１４３、紙幣の入金を許容する紙幣入金口１４４、硬貨が払い出される硬貨出金口１４５とこの硬貨払出口１４５から払い出された硬貨を受ける硬貨受皿１４７、および上方に開口した硬貨入金口１４６が順次設けられている。
【００１７】
図２に示すように、これら紙幣出金口１４３、紙幣入金口１４４、硬貨出金口１４５と硬貨を受ける硬貨受皿１４７、および上方に開口した硬貨入金口１４６は、ＰＯＳ端末１２１に対しても、そのハウジング１２２の前方位置でオペレータ側から見た幅方向の中央部位にそれぞれ配置されている。
【００１８】
図３は、釣銭機１４１と顧客の移動経路１０４ａまたは１０４ｂとの関係を示す平面図である。図３に示すように、釣銭機１４１のハウジング１４２の内部には、硬貨についての入出金機能を有する硬貨入出金部１４８と、紙幣についての入出金機能を有する紙幣入出金部１４９とが配設されている。そして、このハウジング１４２の手前側表面には、幅方向の中央部位に手前側から紙幣出金口１４３、紙幣入金口１４４、硬貨出金口１４５および硬貨入金口１４６がそれぞれ形成され縦一列に配置されている。顧客の移動経路１０４ａは右流れのチェックアウトレーンを示し、また顧客の移動経路１０４ｂは左流れのチェックアウトレーンを示すものである。したがって、この釣銭機１４１の紙幣出金口１４３、紙幣入金口１４４、硬貨出金口１４５および硬貨入金口１４６は、これら顧客の移動経路１０４ａまたは１０４ｂから略同一の距離に配置されており、釣銭機１４１に対する顧客の移動経路が右流れのチェックアウトレーン１０４ａ、または左流れのチェックアウトレーン１０４ｂのどちらであっても、同一の操作性を有し、オペレータにとって使い勝手のよいものとなる。
【００１９】
図４は、チェックアウトシステム１０１におけるＰＯＳ端末１２１および商品コード入力装置１１１のハードウエア構成を示すブロック図である。
【００２０】
先ず、ＰＯＳ端末１２１の電気的構成について説明する。ＰＯＳ端末１２１の内部には、ＣＰＵ（Ｃｅｎｔｒａｌ  Ｐｒｏｃｅｓｓｉｎｇ  Ｕｎｉｔ）１３１と、ＲＯＭ（Ｒｅａｄ  Ｏｎｌｙ  Ｍｅｍｏｒｙ）１３２と、ＲＡＭ（Ｒａｎｄｏｍ  Ａｃｃｅｓｓ  Ｍｅｍｏｒｙ）１３３とを備えた情報処理部としてのマイクロコンピュータ１２８が格納されている。このマイクロコンピュータ１２８は、チェックアウトシステム１０１全体の情報処理を司る。マイクロコンピュータ１２８と接続するハードディスク１３４には、商品コードに対応付けて商品名や商品単価等の商品情報を格納している商品データファイルＦ１や、売上情報が格納される売上データファイルＦ２をはじめとする各種データファイルが格納されている。また、ハードディスク１３４には、ＯＳ、ドライバ、各種のアプリケーションプログラムを含む各種のプログラムも格納されている。
【００２１】
また、マイクロコンピュータ１２８は、キーボード１２３、決済作業用ディスプレイ１２４、および印刷部としてのレシートプリンタ１２７を駆動制御する。さらに、マイクロコンピュータ１２８は、外部機器インターフェース１１３を介して商品コード入力装置１１１と、および接続インターフェース１４０を介して釣銭機１４１などの各種の外部機器とのデータ通信を行う。
【００２２】
ここで、商品コード入力装置１１１の電気的構成について説明する。商品コード入力装置１１１は、情報処理を実行するマイクロコンピュータ１１４を備える。このマイクロコンピュータ１１４は、この商品コード入力装置１１１に備わるコードスキャナ１１５、キーボード１１６、読取作業用ディスプレイ１１７、顧客用ディスプレイ１１８、外部機器インターフェース１１３を駆動制御する。これらを制御することによって、マイクロコンピュータ１１４は、コードスキャナ１１５で読み取られてデコードされた商品コードやキーボード１１６から入力された商品コードをＰＯＳ端末１２１に送信出力する。
【００２３】
ＰＯＳ端末１２１の電気的構成の説明に戻る。マイクロコンピュータ１２８は、商品データファイルＦ１を参照して商品コード入力装置１１１から入力された商品コードに対応する商品情報を取得する商品情報記憶処理を実行する。また、マイクロコンピュータ１２８は、キーボード１２３から締め命令の入力を判定した場合、商品コード１１９の入力を完了したと判断して商品情報に基づいて顧客１０２の支払金額を算出する支払金額算出処理を実行する。また、マイクロコンピュータ１２８は、顧客１０２からオペレータが預かった預り金額および決済宣言のキーボード１２３からの入力を判定した場合に入力済みの商品コード１１９や支払金額等を含む売上情報を売上データファイルＦ２に記憶保存する記憶保存処理を実行する。他にも、マイクロコンピュータ１２８は、レシートプリンタ１２７を駆動制御してレシート用紙排出口１２６からレシート（図示せず）を印刷発行するレシート発行処理を実行する。
【００２４】
図５は、釣銭機１４１のハードウエア構成を示すブロック図である。
【００２５】
図５に示すように、釣銭機１４１は、各部を駆動制御する制御部１５０を備える。制御部１５０は、各部を集中的に制御するＣＰＵ１５１に、バスライン１５４を介して、制御プログラム等の固定的データを予め記憶するＲＯＭ１５２と、各種データを書き換え自在に記憶してワークエリア等として機能するＲＡＭ１５３とが接続されて構成されている。
【００２６】
制御部１５０には、モータ類１５５、ソレノイド類１５６、センサ類１５７、および接続インターフェース１５８がバスライン１５４を介して接続されている。モータ類１５５は、釣銭機１４１の内部に設けられた搬送ベルト（図示せず）を回転させる駆動源である。搬送ベルトは、硬貨入出金部１４８、紙幣入出金部１４９等に設けられ、その回転により釣銭機１４１に対する貨幣の入出金等を行う。ソレノイド類１５６は、硬貨入出金部１４８に設けられて、指示された枚数の硬貨の払い出しを行う。センサ類１５７の検出出力は、センサコントローラを介して制御部１５０に取り込まれる。センサ類１５７は、硬貨入金センサ１５７ａ、硬貨出金センサ１５７ｂ、紙幣入金センサ１５７ｃ、紙幣出金センサ１５７ｄ等から構成されている。接続インターフェース１５８は、通信ケーブル１５９を介してＰＯＳ端末１２１の接続インターフェース１４０と接続されている。したがって、通信ケーブル１５９を介してＰＯＳ端末１２１とのデータ通信を可能とする。
【００２７】
図６は、釣銭機１４１単体の外観斜視図である。
【００２８】
図６に示すように、釣銭機１４１は、各部をその内部または外部に配置するハウジング１４２を備え、そして、このハウジング１４２の前面側でオペレータ側から見た幅方向の中央部位には、手前側から奥側に向かって、紙幣が払い出される紙幣出金口１４３、紙幣の入金を許容する紙幣入金口１４４、硬貨が払い出される硬貨出金口１４５とこの硬貨払出口１４５から払い出された硬貨を受ける硬貨受皿１４７、および上方に開口した硬貨入金口１４６が順次設けられている。この釣銭機１４１と顧客の移動経路１０４ａまたは１０４ｂとの関係は前述の図３に示す通りである。
【００２９】
以上、説明したように、本実施形態の入出金管理システムによれば、売上商品のチェックアウトにおいて、顧客の移動経路が右流れのチェックアウトレーンまたは左流れのチェックアウトレーンのどちらであっても、同一の操作性を有し、オペレータにとって使い勝手のよいものとなる。
【００３０】
本発明の実施形態を説明したが、この実施形態は、例として提示したものであり、発明の範囲を限定することは意図していない。この実施形態は、その他の様々な形態で実施されることが可能であり、発明の趣旨を逸脱しない範囲で、様々の省略、置き換え、変更を行うことができる。この実施形態やその変形は、発明の範囲や要旨に含まれると同様に、特許請求の範囲に記載された発明とその均等の範囲に含まれるものである。
【符号の説明】
【００３１】
１０１        チェックアウトシステム（入出金管理システム）
１０４        顧客の移動経路
１０４ａ      顧客移動経路（右流れのチェックアウトレーン）
１０４ｂ      顧客移動経路（左流れのチェックアウトレーン）
１１１        商品コード入力装置（商品販売データ処理装置）
１２１        ＰＯＳ端末（商品販売データ処理装置）
１４１        釣銭機（貨幣入出金装置）
１４３        紙幣出金口
１４４        紙幣入金口
１４５        硬貨出金口
１４６        硬貨入金口
【図１】
2013257674.tif 000003
【図２】
2013257674.tif 000004
【図３】
2013257674.tif 000005
【図４】
2013257674.tif 000006
【図５】
2013257674.tif 000007
【図６】
2013257674.tif 000008